(57)【要約】【課題】複数の端子部材を隣接配置して成る端子台と、端子台収容スペースを有し前面側から端子台収容スペース内の端子台に対する作業を行うようになされた本体とを有する端子台収容部を有する電気設備において、多数の端子台を端子台収容スペース内に設置することができると共に、各端子台への着脱・保守作業のための作業スペースを確保することができる端子台収容部を有する電気設備を提供する。【解決手段】複数の端子台３が端子台収容スペース１ａの前面から奥へ向けて整列されて前後方向端子台列３Ａ，３Ｂを形成し、この列の端子台のうち少なくとも最前方以外の各端子台が、その前方側で他の端子台と重なり合わない位置を取り得るよう、収容スペース内で互いに略平行な方向に別個独立に、案内部材７によって支持されているようにする。【選択図】図１
2008042955.tif 000002
【特許請求の範囲】
【請求項１】
複数個の端子部材を有する端子台と、
複数の前記端子台を収容する端子台収容スペースを有し、前面側から前記端子台収容スペース内の端子台のうち選択された１つの作業対象端子台の端子部材に対する配線ケーブルの着脱・保守作業を行うようになされた筐体状の本体と、
を有する、端子台収部を有する電気設備において、
複数の前記端子台が、前記端子台収容スペースの前面側から奥へ向けて前後方向端子台列を形成しており、
前記前後方向端子台列の全端子台又は最前方の端子台以外の端子台が、前記最前方の端子台を作業対象端子台とする場合を除き、選択された１つの作業対象端子台の前面に、前記本体前面側から前記作業対象端子台への着脱・保守作業のための作業スペースがもたらされるように、前記収容スペース内で横移動可能に、案内部材によって支持されている、
ことを特徴とする端子台収容部を有する電気設備。
【請求項２】
複数個の端子部材を有する端子台と、
複数の前記端子台を収容する端子台収容スペースを有し、前面側から前記端子台収容スペース内の端子台のうち選択された１つの作業対象端子台の端子部材に対する配線ケーブルの着脱・保守作業を行うようになされた筐体状の本体と、
を有する、端子台収容部を有する電気設備において、
複数の前記端子台が、前記端子台収容スペースの前面側から奥へ向けて前後方向端子台列を形成しており、
前記前後方向端子台列の端子台が、１つ以上の前方側端子台と、１つ以上の後方側端子台とに分けられており、
前記前方側端子台は、最前方の端子台以外の選択された１つの作業対象端子台の前面に、前記本体前面側からの着脱・保守作業のための作業スペースがもたらされるように、それぞれその側方部を中心に、前記端子台収容スペース内でのその常態位置から前記本体の前面側へ開いた開放位置へ、そしてその逆に回動可能に支持されており、
前記後方側端子台は、選択された１つの作業対象端子台の前面に、前記本体前面側から前記作業対象端子台への着脱・保守作業のための作業スペースがもたらされるように、前記収容スペース内で横移動可能に、案内部材によって支持されている、
ことを特徴とする端子台収容部を有する電気設備。
【請求項３】
前記前後方向端子台列が、前記端子台収容スペース内に横方向に少なくとも２つ以上整列配置してあり、
前記各前後方向端子台列間に、前記着脱・保守作業のための作業スペースをもたらすための共用スペースが設けてあり、
前記案内部材に支持された端子台のうち、前記前後方向端子台列間で横方向に整列して横列を形成している端子台は共通の案内部材に横移動可能に支持され、前記共用スペースへ移動可能である、
ことを特徴とする請求項１又は２に記載の電気設備。
【請求項４】
前記端子台を横移動後の位置に固定するための位置決め部材が設けてあることを特徴とする請求項１〜３の何れか１項に記載の電気設備。
【請求項５】
前記案内部材が前記端子台収容スペース内で横方向へ延在するレールであり、
前記端子台の横列が２つ以上ある場合、前記レールは各横列について端子台の上下に設けてあり、上側のレールは前記本体前面に近い横列のものほど下側に、下側のレールは前記本体前面に近い横列のものほど上側になるよう段違いに配置されていることを特徴とする請求項３または４に記載の電気設備。
【請求項６】
前記各端子台には、前記端子部材から延伸する配線ケーブルの中途部を係止しておくための配線ケーブルサポート杆体部が、前記端子台の略全長に亘って前記端子部材の側方に付設されていることを特徴とする請求項１〜５の何れか１項に記載の電気設備。
【発明の詳細な説明】
【技術分野】
【０００１】
本発明は、複数の端子台の収容部を有している、配電盤、分電盤、制御盤等の電気設備に係る。
【背景技術】
【０００２】
一般に電気設備内には、該設備の操作にとって必要なシーケンス動作を実行するための高圧主回路機器、各種制御器具、リレー、スイッチ、回路遮断機、計器、ヒューズなどの機器が配置されており、それと共にこれら機器間を中継接続したり、外部配線ケーブルと電気設備内配線ケーブルとを中継接続したりするための端子台が備えられている（例えば、下記特許文献１参照）。
【０００３】
一般に端子台は、配線ケーブルの各接続端が着脱可能に固定され、この固定により所望の配線ケーブルの導電接続をもたらす複数個の端子部材を有し、これら端子部材が相互間を電気的に絶縁した状態で並列的に隣接配置した構造を有している。
【０００４】
このような構造を有する端子台は、電気設備の外殻を形成する筐体状の本体内に設けた専用の端子台収容スペース（例えば、機器別の収容スペースを設けるために、本体内を上下に複数に区画して形成したスペースのうち、最下段のスペース）内に配置されている場合が多い。
【０００５】
このような電気設備は機能向上と共にコンパクト化が求められており、それに伴い、比較的狭い端子台収容スペース内に多数の端子台を収容する必要性が生じている。このような要請に応えるため、複数の端子台を端子台収容スペース内に整列して決まりよく配置するなどの工夫が施されており、その場合、作業者が端子台にアクセスして配線ケーブルの固定作業やメンテナンス作業、或いは、配線ケーブルの追加、交換等の各種作業（以下、単に着脱・保守作業と略称する。）を行い易いようにするために、端子部材のネジ止め部が作業者に対面するよう、端子台を端子台収容スペース内で回動可能とすることが提案されている（例えば、特許文献２参照）。
【０００６】
【特許文献１】特開平０９−００７６５４号公報
【特許文献２】実開昭６２−１９１３０５号公報
【発明の開示】
【発明が解決しようとする課題】
【０００７】
しかしながら、上述のように端子台を端子台収容スペース内で回動可能とした場合、他の端子台の影響を受けることなく作業対象端子台の必要な回動をもたらすためには、端子台の周囲に端子台の回動を許容する空間を設けておく必要があり、そのような空間の確保は、より多くの端子台を端子台収容スペース内に配置しようとする場合の阻害要因となっている。
【０００８】
そこで、本発明の目的は、端子台収容スペース内へ配置することのできる端子台数を増やすことができると共に、全ての端子台に対する着脱・保守作業のためのアクセスを可能にした端子台収容部を有する電気設備を提供することである。
【課題を解決するための手段】
【０００９】
上記目的を達成する請求項１に記載の発明は、
複数個の端子部材を有する端子台と、
複数の上記端子台を収容する端子台収容スペースを有し、前面側から上記端子台収容スペース内の端子台のうち選択された１つの作業対象端子台の端子部材に対する配線ケーブルの着脱・保守作業を行うようになされた筐体状の本体と、
を有する、端子台収容部を有する電気設備において、
複数の上記端子台が、上記端子台収容スペースの前面側から奥へ向けて前後方向端子台列を形成しており、
上記前後方向端子台列の全端子台又は最前方の端子台以外の端子台が、上記最前方の端子台を作業対象端子台とする場合を除き、選択された１つの作業対象端子台の前面に、上記配線盤本体前面側から上記作業対象端子台への着脱・保守作業のための作業スペースがもたらされるように、上記収容スペース内で横移動可能に、案内部材によって支持されていることを特徴とする。
【００１０】
請求項１に記載の端子台収容部を有する電気設備によれば、最前方の端子台については、上記本体に前扉が設けてある場合には、この前扉を開放すれば、何ら特別の準備作業を行うことなく、直ちに当該端子台に対する配線ケーブルの着脱・保守作業が行える。最前方の端子台以外の端子台については、例えば最前方の端子台のみが横移動可能に設けられていないとした場合、その後方の端子台のうちの選択された１つの作業対象端子台がその前方側で他の端子台と重なり合わない位置、即ち作業対象端子台の前方に作業スペースがもたらされる位置へ案内部材上を横移動せしめられ、その位置で所定の着脱・保守作業が行われる。全部の端子台が横移動可能に設けられている場合には、上述のような、最前方の端子台を作業対象端子台とする場合を除き、選択された１つの作業対象端子台をその前方側で他の端子台と重なり合わない位置へ横移動させるという方法以外に、当該作業対象端子台を動かさず、その前方にある端子台をすべて、作業対象端子台と重なり合わない位置へ横移動させ、その上で作業対象端子台への所定の着脱・保守作業を行うという方法を採ることもできる。
【００１１】
つまり、請求項１に記載の端子台収容部を有する電気設備によれば、上記各端子台が個々独立に他の端子台に対して横移動可能となっていることにより、隣り合う端子台同士が比較的接近した状態にあっても、作業対象端子台又はその前方にある全部の端子台を横移動させ、作業対象端子台をその前方の端子台と重なり合わない、着脱・保守作業が可能な状態に置くことができ、このように端子台を横移動させることによって着脱・保守作業のためのスペースが得られるということは、上記前後方向端子台列内で端子台を比較的密に配列することを可能にし、延いては端子台収容スペース内での端子台収容個数の増大を可能にする。
【００１２】
上記目的を達成する請求項２に記載の発明は、
複数個の端子部材を有する端子台と、
複数の上記端子台を収容する端子台収容スペースを有し、前面側から上記端子台収容スペース内の端子台のうち選択された１つの作業対象端子台の端子部材に対する配線ケーブルの着脱・保守作業を行うようになされた筐体状の本体と、
を有する、端子台収容部を有する電気設備において、
複数の上記端子台が、上記端子台収容スペースの前面側から奥へ向けて前後方向端子台列を形成しており、
上記前後方向端子台列の端子台が、１つ以上の前方側端子台と、１つ以上の後方側端子台とに分けられており、
上記前方側端子台は、最前方の端子台以外の選択された１つの作業対象端子台の前面に、上記本体前面側からの着脱・保守作業のための作業スペースがもたらされるように、それぞれその側方部を中心に、上記端子台収容スペース内でのその常態位置から上記本体の前面側へ開いた開放位置へ、そしてその逆に回動可能に支持されており、
上記後方側の端子台は、選択された１つの作業対象端子台の前面に、上記本体前面側から上記作業対象端子台への着脱・保守作業のための作業スペースがもたらされるように、上記収容スペース内で横移動可能に、案内部材によって支持されていることを特徴とする。
【００１３】
請求項２に記載の端子台収容部を有する電気設備によれば、回動可能に支持されている前方側端子台について、当該端子台が上記前後方向端子台列の最前方にある一つのみであって、当該最前方の端子台が作業対象端子台である場合には、その回動を行うことなく着脱・保守作業が行われ、また前方側端子台が最前方の端子台に後続して複数個設けてあって、最前方以外の端子台の１つが作業対象端子台である場合には、選択された作業対象端子台の前方にある回動可能の端子台が上記最前方の端子台から順にその常態位置から開放位置へ回動せしめられ、当該作業対象端子台に対する着脱・保守作業のための作業スペースが作業対象端子台の前方にもたらされる。また、上記後方側端子台については、上記前方側端子台の直後にある１つの端子台が作業対象端子台である場合には、その前方にある全ての回動可能の端子台を常態位置から開放位置へ回動せしめることにより、着脱・保守作業のための作業スペースが得られるが、当該作業対象端子台が奥の方にあるため、上記のようにして得られた作業スペースが作業上十分でない場合には、当該作業対象端子台を、前方側で他の端子台と重なり合わない位置へ案内部材上を横移動させることによって着脱・保守作業のための作業スペースをもたらすようにしてもよい。その他の後方側端子台については、前方側で他の端子台と重なり合わない位置へ案内部材上を横移動させることによって着脱・保守作業のための作業スペースがもたらされる。
【００１４】
横移動可能に設けられている端子台は横移動時に隣接する端子台に取り付けられている配線ケーブルを避けるように相互間間隔が決められるのに対し、回動可能に支持されている上記端子台は、後方に隣接している端子台に取り付けられている配線ケーブルの影響を殆ど受けることなく回動することができ、従って端子台相互間の間隔を更に狭めることができるので、端子台収容スペース内での端子台収容個数の更なる増大を可能にする。更に回動可能に支持されている端子台をすべて開放位置へ回動させることによって、後方側端子台を横移動させるために使用できる広い空間がもたらされ、奥所にある横移動可能の端子台に対するアクセスが容易になる。
【００１５】
本発明による上記端子台収容部を有する電気設備において、上記前後方向端子台列が、上記端子台収容スペース内に横方向に少なくとも２つ以上整列配置してあり、上記各前後方向端子台列間に、上記着脱・保守作業のための作業スペースをもたらすための共用スペースが設けてあり、上記案内部材に支持された端子台のうち、上記前後方向端子台列間で横方向に整列して横列を形成している端子台は共通の案内部材に横移動可能に支持され、上記共用スペースへ移動可能であるようにすれば、上記共用スペースは端子台収容スペースの利用率を高めるように作用し、また上記横列の端子台における案内部材の共用は、必要な案内部材数の減少を図る上で有利であり、これによっても、上記端子台収容スペースの効率的な利用を可能にする。
【００１６】
本発明による上記端子台収容部を有する電気設備において、上記端子台を横移動後の位置に固定するための位置決め部材が設けてあるようにすれば、横移動後の端子台に対する着脱・保守作業中に当該端子台が予期せずに横移動して作業の失敗を招くというような状況の出来を未然に防止することができる。
【００１７】
本発明による上記端子台収容部を有する電気設備において、上記案内部材が上記端子台収容スペース内で横方向へ延在するレールであり、上記端子台の横列が２つ以上ある場合、上記レールは各横列について端子台の上下に設けてあり、上側のレールは上記本体前面に近い横列のものほど下側に、下側のレールは上記本体前面に近い横列のものほど上側になるよう段違いに配置されているようにすれば、端子台収容スペースの前面側から作業対象端子台を見出し、その横移動操作を行うことが容易になる。
【００１８】
本発明による上記端子台収容部を有する電気設備において、上記各端子台に、上記端子部材から延伸する配線ケーブルの中途部を係止しておくための配線ケーブルサポート杆体部を、端子台の略全長に亘って端子部材の側方に付設すれば、配線ケーブルの中途部を例えば結束バンドを用いて上記配線ケーブルサポート杆体部に係止することにより、上記端子台を横移動若しくは回動させた際、配線ケーブルに不測の引張力が作用することがあっても、その引張力は上記係止部分から先には波及しないので、配線ケーブル末端の圧着端子が端子部材から外れてしまうような不都合を回避することができる。
【発明の効果】
【００１９】
本発明によれば、各端子台に対する作業スペースが確保された状態で多数の端子台を端子台収容スペース内に収容可能であり、従って多数の端子台を収容する電気設備をコンパクト化することができる。
【発明を実施するための最良の形態】
【００２０】
次に、本発明の実施形態を、配電盤を例に図面を参照して説明する。
【００２１】
（第１の実施形態）
図１及び図２は、本発明の第１の実施形態による配電盤を示し、特に筐体状の配電盤本体内を区画して形成された端子台収容スペース及びその内部に収容される端子台を示すものであって、図１（Ａ）は配電盤本体の端子台収容スペースが設けてある箇所の概略平面図、図１（Ｂ）は同箇所の概略正面図、図２は端子台とその支持部材との関係を示す概略側面図である。
【００２２】
図１に示すように、配電盤１は、前面側を開閉可能な扉式とした筐体状の配電盤本体２と、この配電盤本体２内を区画して形成された端子台収容スペース１ａと、この端子台収容スペース１ａ内に整列配置された端子台３と、各端子台３に接続される配線ケーブル４の一部を収納するケーブル収納箱５と、支持ブラケット６を介して端子台３をスライド式に横移動可能に支持する案内部材としてのレール７とを備えている。
【００２３】
端子台３は、特に図１（Ｂ）から明らかなように、接続すべき２本の配線ケーブル４，８（配線ケーブル４は、例えば外部配線ケーブルであり、配線ケーブル８は、例えば配電盤内配線ケーブルである。）の各接続端に結合した周知のＯ型やＵ型の圧着端子を箇所９ａ，９ｂでネジ止めして固定したときに両配線ケーブルの導電接続をもたらす端子部材９を多数個有し、これら端子部材９を相互間に絶縁体を介在させた状態で並列的に隣接配置して成るものである。なお、端子部材９を用いた配線ケーブルの導電接続は、上述のように単独の端子部材を用いて行う場合の他に、複数の端子部材を用いて行うなど、様々なパターンで行われる。
【００２４】
各端子台３は、縦長板状の支持ブラケット６の前面に支持されており、支持ブラケット６には、図２に示すように、その上下両端にレール７と摺動可能に係合する鍵形のガイド部材６ａが設けられている。レール７は、配電盤本体２の側板１ｂ，１ｃ間に差し渡され、端部が各側板１ｂ，１ｃに溶接やその他の固定方法により取り付けられている。
【００２５】
支持ブラケット６には、レール７の複数個所に設けられた係合孔７ａと係合するピン１１が着脱可能に設けられており、係合孔７ａとピン１１が端子台３を横移動後の位置に固定するための位置決め部材を形成している。
【００２６】
また、支持ブラケット６には、図１（Ｂ）及び図４に示すように、端子台３の側方に、上記圧着端子のネジ止め部から延伸する配線ケーブル８の中途部を係止により固定的に支持するための配線ケーブルサポート杆体部１０が端子台３の略全長に亘って設けられている。配線ケーブルサポート杆体部１０に対する配線ケーブル８の係止は、例えば結束バンドなどの係止材１５を用いて行われる。このように配線ケーブル８の中途部の固定的支持を行うことにより、端子台３の横移動の際又は下記第２の実施形態における端子台３の回動の際に、係止部から端子台３の外方へ延び出している配線ケーブル８の部分に引張力が作用することがあっても、その引張力の波及は係止部で留まり、圧着端子の締付力を弱めたり、圧着端子を端子部材から離脱させたりするような力がネジ止め箇所９ａ，９ｂへ及ぶことが阻止される。
【００２７】
第１の実施形態による配電盤１では、端子台収容スペース１ａ内には、配電盤本体２の前面（図１（Ａ）の下側）から奥（図１（Ａ）の上側）へ向けて所定の間隔で配列された３個の端子台３から成る前後方向端子台列が２列（３Ａ，３Ｂ）、左右に整列した状態で配置されており、２つの前後方向端子台列３Ａ，３Ｂの間には、両前後方向端子台列３Ａ，３Ｂの各端子台３のうちの作業対象端子台に対し、配電盤前面側から着脱・保守作業を行うための作業スペースをもたらす共用スペース３Ｃが設けてある。
【００２８】
２つの前後方向端子台列３Ａ，３Ｂは、上記のように左右に整列した状態で配置されており、従って前後方向端子台列３Ａ，３Ｂ間で横方向に並んでいる横列の端子台３は共通のレール７に横移動可能に支持され、従ってこのレール７に沿って共用スペース３Ｃへ横移動せしめられた１つの作業対象端子台３に対して、配電盤本体２の前面側から他の端子台３からの制約を受けることなく着脱・保守作業のためにアクセス可能である。
【００２９】
上記構成の第１の実施形態による配電盤１において、各配線ケーブル４，８の着脱・保守作業を行う場合、最前方にある端子台３については、配電盤本体２の前扉を開けば、端子台の横移動などの事前の準備作業なしに、直ちに着脱・保守作業を行うことができる。また、例えば、左側の前後方向端子台列３Ａのうち、中間にある端子台３が作業対象端子台である場合、第１の方法として、当該端子台３をレール７に沿って矢印の方向に中央の共用スペース３Ｃまでスライド式に横移動せしめ、その位置で係合孔７ａに位置決め用のピン１１を差し込むことにより作業位置から動くことのないよう固定し、次いで配電盤本体２の前面側から、この作業対象端子台３に対し、必要な着脱・保守作業を施す。また、第２の方法として、最前方の端子台３を共用スペース３Ｃへ横移動させ、その結果前方にできた作業スペースから作業対象端子台３に対する着脱・保守作業を行うようにする。この第２の方法は、最前方の端子台３に対して接続されている配線ケーブル４があまり多くなく、従って作業対象端子台３まで作業的にアクセスできる場合に適用可能である。上述の第１及び第２の方法は、事前の準備作業が不要な最前方の端子台３を除き、全ての端子台３について等しく行い得る。
【００３０】
（第２の実施形態）
図３及び図４は本発明の第２の実施形態による配電盤１を示し、図３は図１（Ａ）と同様の配電盤本体の端子台収容スペース１ａを設けてある箇所の概略平面図、図４は上記端子台収容スペース１ａ内に配置された回動可能の１つの端子台の正面図である。尚、上記第１の実施の形態と同一の部分には同一の符号を付してその説明を省略する。
【００３１】
第２の実施形態においても上記第１の実施形態の場合と同様に、配電盤本体２の端子台収容スペース１ａ内に２つの前後方向端子台列３Ａ，３Ｂが配置され、両前後方向端子台列の間には共用スペース３Ｃが設けられている。
【００３２】
この第２の実施形態の配電盤１では、各前後方向端子台列３Ａ，３Ｂのうち、前側の２つの端子台が前方側端子台であり、最奥部の１つの端子台が後方側端子台である。後方側端子台３は、第１の実施形態と同様に、側板１ｂ，１ｃ間に架け渡されたレール７によって横移動可能に支持されており、前方側端子台３は、正面に向いた常態位置から、側板１ｂまたは１ｃに対して手前側に開いた開放位置へ、そしてその逆に回動するように、側板１ｂ，１ｃに対してヒンジ結合されている。
【００３３】
上記ヒンジ結合は、図４に示すように、側板１ｂ，１ｃに取り付けられたケーブル収納箱５と、支持ブラケット６を保持している上下の保持アーム１７との間に設けられているヒンジ部１８で行われている。ヒンジ部１８は、図示のように、保持アーム１７の端部から下方に突出する回動支点用のピン１７ａと、ケーブル収納箱５の側面に設けられ、ピン１７ａが嵌合する係合孔を有する保持ブラケット５ａとによって形成されている。
【００３４】
上記支持ブラケット６は保持アーム１７上の位置を変更できるよう、保持アーム１７に対して摺動的に横移動するようになされており、位置決定後にその位置に上記位置決め部材と同様の固定手段（図示せず）により固定される。
【００３５】
第２の実施形態においても、第１の実施形態の場合と同様に、配線ケーブル４，８の各端子部材９への固定構造として、各配線ケーブル４，８の端部に取り付けられたＯ型やＵ型の圧着端子をネジ止めするなどの周知のものが用いられる。
【００３６】
第２の実施形態による配電盤１において、配線ケーブル４，８の着脱・保守作業を行う場合、例えば前後方向端子台列３Ａの後方側端子台３については、この端子台３を共用スペース３Ｃの位置まで図示の矢印の方向に横移動させ、その前方に作業スペースをもたらし、配電盤本体２の前面側から当該端子台３に対する着脱・保守作業を行う。その際、手前側の２つの端子台３を配電盤本体２の前方側へ回動させ開放位置へもたらせば、共用スペース３Ｃの位置にある作業対象端子台３への作業スペースをより広く取ることができ、更に右側の前後方向端子台列３Ｂの手前側の２つの端子台３を開放位置へ回動させれば、作業スペースはさらに広くなる。更に、開放位置へ回動させてある端子台３について、支持ブラケット６を保持アーム１７上で回動ヒンジ部１８の方向へ移動させ、側板１ｂ又は側板１ｃの方へ寄せるようにすれば、作業スペースが更に拡大する。
【００３７】
また、前後方向端子台列３Ａの前方側端子台３について、例えば前から２番目の端子台３が作業対象端子台である場合には、最前方の端子台３を配電盤本体２の前方側に回動させて開放位置へもたらし、作業対象端子台３の前方に作業スペースを設ける。その際、作業対象端子台３について、支持ブラケット６を保持アーム１７上で共用スペース３Ｃの方向へ移動させ、更に開放位置にある最前方の端子台３の支持ブラケット６を保持アーム１７上で回動ヒンジ部１８の方向へ移動させることにより、作業スペースが更に拡大する。
【００３８】
最前方の端子台３に対する作業については、遮るものが何もないため、端子台の移動又は回動などの予備処置は何も必要がない。
【００３９】
（第３の実施形態）
図５は、本発明の第３の実施形態による配電盤１を示し、図５（Ａ）は、図１（Ａ）と同様の配電盤本体の端子台収容スペース１ａを設けてある箇所の概略平面図、図５（Ｂ）は図１（Ｂ）と同様の箇所の概略正面図である。尚、上記第１の実施の形態と同一の部分には同一の符号を付してその説明を省略する。
【００４０】
この第３の実施形態に係る配電盤１の構成は、本質的な点で図１及び図２に示す構成と同様である。異なる点は、横列の端子台に共通的に上下に設けてあるレール７が配電盤本体２の奥側の横列の端子台のものほど上下間距離が長くなるように段差が設けられていることである。即ち、上側のレール７は手前側の横列の端子台用のものほど下側に、下側のレール７は手前側の横列の端子台用のものほど上側になるよう段違いに配置されている。これによって、端子台収容スペース１ａの前面側から作業対象端子台を見出し、その横移動操作を行うことが容易になる。特に、奥側の端子台３の横移動操作のためには、この構成は有利である。
【００４１】
なお、本発明は上記実施形態に限定されることなく、発明の趣旨を逸脱しない範囲で種々変更可能である。例えば、第１の実施形態において、各前後方向端子台列３Ａ，３Ｂの最前方端子台については、上述のように横移動ができるようにせず、固定的に設けてあってもよい。また、第２の実施形態において、各前後方向端子台列３Ａ，３Ｂの中央の端子台３については、回動を行う構成とせず、最奥の端子台３と同様にスライド式に横移動する構成としても良い。また、その際、最前方の端子台３については、回動のみを行う構成とし、保持アーム１７に固定的に取り付けた構成としても良い。
【図面の簡単な説明】
【００４２】
【図１】本発明の第１の実施形態による端子台収容部を有する電気設備を示し、（Ａ）は該電気設備の端子台収容スペースの概略平面図、（Ｂ）は該端子台収容スペースの概略正面図である。
【図２】レールに保持された本発明による端子台およびその支持ブラケットの概略側面図であって、レールは横断面で示されている。
【図３】本発明の第２の実施形態による端子台収容部を有する電気設備の端子台収容スペースの概略平面図である。
【図４】図３に示された端子台のうち、回動可能に設けられた端子台の拡大尺正面図である。
【図５】本発明の第３の実施形態による端子台収容部を有する電気設備を示し、（Ａ）は該端子台収容部を有する電気設備の端子台収容スペースの概略平面図、（Ｂ）は該端子台収容スペースの概略正面図である。
【符号の説明】
【００４３】
１…配電盤（端子台収容部を有する電気設備）
１ａ…端子台収容スペース
２…本体
３…端子台
３Ａ…前後方向端子台列
３Ｂ…前後方向端子台列
３Ｃ…共用スペース
４…配線ケーブル
５…ケーブル収納箱
６…支持ブラケット
７…レール（案内部材）
８…配線ケーブル
９…端子部材
１０…配線ケーブルサポート杆体部
１７…保持アーム
１８…ヒンジ部
【図１】
2008042955.tif 000003
【図２】
2008042955.tif 000004
【図３】
2008042955.tif 000005
【図４】
2008042955.tif 000006
【図５】
2008042955.tif 000007